(57)【要約】      （修正有）【課題】記録層の層情報を速やかに検出することが可能な記録層情報検出装置、記録層情報検出方法、再生装置、再生方法、記録装置、記録方法及び記録媒体を提供する。【解決手段】再生時にフォーカス方向に青色レーザー光の照射位置がずれても、光ディスクの記録層等のいずれかに青色レーザー光を照射し基準面に赤色レーザー光を照射することができる。記録層等の９Ｔ−９Ｔ記録マーク等の特定パターンで反射したレーザー光から（Ｂ）に示す特定パターン信号を生成し、基準面の同期パターンで反射したレーザー光から（Ａ）に示す同期信号を生成し、層情報検出回路で特定パターン信号の位相及び同期信号の位相とを検出し、カウンタ回路で特定パターン信号の位相と同期信号の位相との位相差（カウント値）を検出し、このカウント値に基づき、記録層情報を速やかに検出することができる。【選択図】図４
2009289339.tif 000002
【特許請求の範囲】
【請求項１】
第１のレーザ光を発生する第１の光源と、
層毎に特定パターンが位相方向に互いにずらして設けられた複数の記録層と、同期パターンが設けられた同期パターン層とを有する記録媒体の前記複数の記録層のいずれかに前記第１のレーザ光を集光させる第１の集光手段と、
前記第１のレーザ光に対して波長の異なる第２のレーザ光を発生する第２の光源と、
前記記録媒体の前記同期パターン層に前記第２のレーザ光を集光させる第２の集光手段と、
前記第１のレーザ光の前記記録層からの反射光に基づき前記特定パターンを再生する特定パターン再生手段と、
前記第２のレーザ光の前記同期パターン層からの反射光に基づき前記同期パターンを再生する同期パターン再生手段と、
前記同期パターン再生手段により再生された同期パターンと前記特定パターン再生手段により再生された前記特定パターンの位相差に基づき、前記第１のレーザ光が照射された前記記録層の層情報を検出する層検出手段と
を具備する記録層情報検出装置。
【請求項２】
請求項１に記載の記録層情報検出装置であって、
前記層検出手段は、
前記再生された同期パターンに基づき、該同期パターンの周波数を逓倍する逓倍手段と、
前記再生された特定パターンの位相である該特定パターンのパルスのエッジを検出する特定パターンエッジ検出手段と、
前記再生された同期パターンの位相である該同期パターンのパルスのエッジを検出する同期パターンエッジ検出手段と、
前記特定パターンのパルスのエッジが検出されてから前記同期パターンのエッジが検出されるまで、前記逓倍手段から出力されたクロックをカウントしカウント値を層情報とするカウンタと
を有する記録層情報検出装置。
【請求項３】
第１のレーザ光を発生し、
層毎に特定パターンが位相方向に互いにずらして設けられた複数の記録層と、同期パターンが設けられた同期パターン層とを有する記録媒体の前記複数の記録層のいずれかに前記第１のレーザ光を集光させ、
前記第１のレーザ光に対して波長の異なる第２のレーザ光を発生し、
前記記録媒体の前記同期パターン層に前記第２のレーザ光を集光させ、
前記第１のレーザ光の前記記録層からの反射光に基づき前記特定パターンを再生し、
前記第２のレーザ光の前記同期パターン層からの反射光に基づき前記同期パターンを再生し、
前記再生された同期パターンと前記再生された特定パターンの位相差に基づき、前記第１のレーザ光が照射された前記記録層の層情報を検出する記録層情報検出方法。
【請求項４】
第１のレーザ光を発生する第１の光源と、
層毎に特定パターンが位相方向に互いにずらして設けられた複数の記録層と、同期パターンが設けられた同期パターン層とを有する記録媒体の前記複数の記録層のいずれかに前記第１のレーザ光を集光させる第１の集光手段と、
前記第１のレーザ光に対して波長の異なる第２のレーザ光を発生する第２の光源と、
前記記録媒体の前記同期パターン層に前記第２のレーザ光を集光させる第２の集光手段と、
前記第１のレーザ光の前記記録層からの反射光に基づき前記特定パターンを再生する特定パターン再生手段と、
前記第２のレーザ光の前記同期パターン層からの反射光に基づき前記同期パターンを再生する同期パターン再生手段と、
前記同期パターン再生手段により再生された同期パターンと前記特定パターン再生手段により再生された前記特定パターンの位相差に基づき、前記第１のレーザ光が照射された前記記録層の層情報を検出する層検出手段と、
検出された前記層情報に基づき、前記検出された記録層に記録された情報を再生する手段と
を具備する再生装置。
【請求項５】
請求項４に記載の再生装置であって、
前記第１の集光手段は、前記第１の光源からの第１のレーザ光を前記記録層のいずれかに集光する対物レンズを有し、
当該再生装置は、前記層検出手段により検出した層情報に基づき、前記第１のレーザ光が前記層情報が示す記録層に照射されるように前記対物レンズの位置を制御する手段を更に具備する再生装置。
【請求項６】
第１のレーザ光を発生する第１の光源と、
複数の記録層と、同期パターン層とを有する記録媒体の同期パターン層に前記第１のレーザ光を集光する第１の集光手段と、
前記同期パターン層で反射した前記第１のレーザ光に基づき同期パターンを再生する同期パターン再生手段と、
クロックパターンを発生するクロックパターン発生手段と、
第２のレーザ光を発生する第２の光源と、
前記同期パターン再生手段により再生された同期パターンと前記クロックパターン発生手段により発生した前記クロックパターンとの位相差に基づき、記録層毎に位相方向に互いにずらして前記第２のレーザ光を集光することで特定パターンを形成する手段と
を具備する記録装置。
【請求項７】
第１のレーザ光を発生し、
複数の記録層と、同期パターン層とを有する記録媒体の同期パターン層に前記第１のレーザ光を集光し、
前記同期パターン層で反射した前記第１のレーザ光に基づき同期パターンを再生し、
クロックパターンを発生し、
第２のレーザ光を発生し、
前記同期パターン再生手段により再生された同期パターンと前記クロックパターン発生手段により発生した前記クロックパターンとの位相差に基づき、記録層毎に位相方向に互いにずらして前記第２のレーザ光を集光することで特定パターンを形成する記録方法。
【請求項８】
同期パターンが設けられた同期パターン層と、
層毎に特定パターンが前記同期パターンに対して前記特定パターンを読取る方向に互いにずらして設けられた複数の記録層と
を具備する記録媒体。
【発明の詳細な説明】
【技術分野】
【０００１】
本発明は、例えば記録媒体に記録された情報の層情報を検出する記録層情報検出装置、記録層情報検出方法、記録層の層情報を再生する再生装置及び再生方法、当該層情報を記録する記録装置及び記録方法並びに当該記録媒体に関する。
【背景技術】
【０００２】
現在のＣＤ(Ｃｏｍｐａｃｔ  Ｄｉｓｃ)、ＤＶＤ(Ｄｉｇｉｔａｌ  Ｖｅｒｓａｔｉｌｅ  Ｄｉｓｃ)、Ｂｌｕ−ｒａｙ  Ｄｉｓｃの次世代の光ディスクとして、媒体に定在波を記録する方式が提案されている。
【０００３】
例えば、照射された光強度によって屈折率が変化する媒体中に、一旦光を集光し、その後光ディスク裏面に設けられた反射装置を用いてもう一度逆方向から光を同一焦点位置に集光する。その結果、光スポットサイズの小さなホログラムを媒体に形成することにより、情報を記録する。
【０００４】
再生時には、同じように光ディスク表面から照射した光の反射光を読み取ることにより情報を判別する。
【０００５】
また、媒体中に層状に情報を記録することで通常の光ディスクを層数分まとめて記録することが可能である（例えば、非特許文献１参照。）。
【０００６】
このようなマイクロリフレクタ（Ｍｉｃｒｏ  Ｒｅｆｌｅｃｔ）は、特有なバーチャルマルチレイヤー（Ｖｉｒｔｕｒａｌ  Ｍｕｌｔｉ  Ｌａｙｅｒ）構造を有している。マイクロリフレクタには、物理的に異なる複数の層が存在しないので、例えば対物レンズ等をフォーカス制御することにより各記録層にレーザ光を照射し、各記録層に記録されている情報を再生している。  
【非特許文献１】（R. R. McLeod etal.,"Microholographicmultilayer optical disk data storage," Appl. Opt., Vol. 44, 2005, pp3197）
【発明の開示】
【発明が解決しようとする課題】
【０００７】
しかしながら、上記特許文献１の技術では、記録層のフォーカス制御がしにくく、フォーカス制御が外れ易く、一旦、フォーカス制御が外れてしまうと、またフォーカスしなおすとき、フォーカスしようとする層とは異なる別の層に引き込まれる可能性が高い。そのため、複数ある記録層のうち現在どの記録層にフォーカスされているかを速やかに検出するために、各記録層のデータの中に、層の情報である層情報を含める必要がある。しかし、記録層に含まれる層情報の出現頻度を高くすると記録層の記録データの記録密度が低下し、記録層に含まれる層情報の出現頻度を低くすると層情報を検出するまでに必要な時間が長くなる、という問題がある。
【０００８】
以上のような事情に鑑み、本発明の目的は、記録層の層情報を速やかに検出することが可能な記録層情報検出装置、記録層情報検出方法、再生装置、再生方法、記録装置、記録方法及び記録媒体を提供することにある。
【課題を解決するための手段】
【０００９】
上記課題を解決するために、本発明に係る記録層情報検出装置は、第１のレーザ光を発生する第１の光源と、層毎に特定パターンが位相方向に互いにずらして設けられた複数の記録層と、同期パターンが設けられた同期パターン層とを有する記録媒体の前記複数の記録層のいずれかに前記第１のレーザ光を集光させる第１の集光手段と、第１のレーザ光に対して波長の異なる第２のレーザ光を発生する第２の光源と、前記記録媒体の前記同期パターン層に前記第２のレーザ光を集光させる第２の集光手段と、前記第１のレーザ光の前記記録層からの反射光に基づき前記特定パターンを再生する特定パターン再生手段と、前記第２のレーザ光の前記同期パターン層からの反射光に基づき前記同期パターンを再生する同期パターン再生手段と、前記同期パターン再生手段により再生された同期パターンと前記特定パターン再生手段により再生された前記特定パターンの位相差に基づき、前記第１のレーザ光が照射された前記記録層の層情報を検出する層検出手段とを具備する。
【００１０】
本発明では、記録媒体の記録層のいずれかに第１のレーザ光を集光し同期パターン層に第２のレーザ光を集光し、記録層の特定パターンで反射したレーザ光から特定パターンを再生し、同期パターン層の同期パターンで反射した反射光から同期パターンを再生することができる。この結果、層検出手段により、再生された同期パターンと再生された特定パターンの位相差に基づき、第１のレーザ光が照射された記録層の層情報を速やかに検出することができる。
【００１１】
前記層検出手段は、前記再生された同期パターンに基づき、該同期パターンの周波数を逓倍する逓倍手段と、前記再生された特定パターンの位相である該特定パターンのパルスのエッジを検出する特定パターンエッジ検出手段と、前記再生された同期パターンの位相である該同期パターンのパルスのエッジを検出する同期パターンエッジ検出手段と、前記特定パターンのパルスのエッジが検出されてから前記同期パターンのエッジが検出されるまで、前記逓倍手段から出力されたクロックをカウントしカウント値を層情報とするカウンタとを有する。
【００１２】
これにより、逓倍手段により、再生された同期パターンに基づき、該同期パターンの周波数を逓倍することができる。特定パターンエッジ検出手段により、再生された特定パターンの位相である該特定パターンのパルスのエッジを検出し、同期パターンエッジ検出手段により、再生された同期パターンの位相である該同期パターンのパルスのエッジを検出することができる。カウンタにより、特定パターンのパルスのエッジが検出されてから同期パターンのエッジが検出されるまで、逓倍手段から出力されたクロックをカウントしカウント値を層情報とすることができる。つまり、特定パターン信号の立ち下がりと、同期パターンの立ち上がりとの位相差に基づき、確実に記録層情報を検出することができる。
【００１３】
本発明に係る記録層情報検出方法は、第１のレーザ光を発生し、層毎に特定パターンが位相方向に互いにずらして設けられた複数の記録層と、同期パターンが設けられた同期パターン層とを有する記録媒体の前記複数の記録層のいずれかに前記第１のレーザ光を集光させ、前記第１のレーザ光に対して波長の異なる第２のレーザ光を発生し、前記記録媒体の前記同期パターン層に前記第２のレーザ光を集光させ、前記第１のレーザ光の前記記録層からの反射光に基づき前記特定パターンを再生し、前記第２のレーザ光の前記同期パターン層からの反射光に基づき前記同期パターンを再生し、前記再生された同期パターンと前記再生された特定パターンの位相差に基づき、前記第１のレーザ光が照射された前記記録層の層情報を検出する。
【００１４】
本発明では、記録媒体の記録層のいずれかに第１のレーザ光を集光し同期パターン層に第２のレーザ光を集光し、記録層の特定パターンで反射したレーザ光から特定パターンを再生し、同期パターン層の同期パターンで反射した反射光から同期パターンを再生することができる。この結果、再生された同期パターンと再生された特定パターンの位相差に基づき、第１のレーザ光が照射された記録層の層情報を速やかに検出することができる。
【００１５】
本発明に係る再生装置は、第１のレーザ光を発生する第１の光源と、層毎に特定パターンが位相方向に互いにずらして設けられた複数の記録層と、同期パターンが設けられた同期パターン層とを有する記録媒体の前記複数の記録層のいずれかに前記第１のレーザ光を集光させる第１の集光手段と、前記第１のレーザ光に対して波長の異なる第２のレーザ光を発生する第２の光源と、前記記録媒体の前記同期パターン層に前記第２のレーザ光を集光させる第２の集光手段と、前記第１のレーザ光の前記記録層からの反射光に基づき前記特定パターンを再生する特定パターン再生手段と、前記第２のレーザ光の前記同期パターン層からの反射光に基づき前記同期パターンを再生する同期パターン再生手段と、前記同期パターン再生手段により再生された同期パターンと前記特定パターン再生手段により再生された前記特定パターンの位相差に基づき、前記第１のレーザ光が照射された前記記録層の層情報を検出する層検出手段と、検出された前記層情報に基づき、前記検出された記録層に記録された情報を再生する手段とを具備する。
【００１６】
本発明では、記録媒体の記録層のいずれかに第１のレーザ光を集光し同期パターン層に第２のレーザ光を集光し、記録層の特定パターンで反射したレーザ光から特定パターンを再生し、同期パターン層の同期パターンで反射した反射光から同期パターンを再生することができる。この結果、層検出手段により、再生された同期パターンと再生された特定パターンの位相差に基づき、第１のレーザ光が照射された記録層の層情報を速やかに検出することができる。従って、検出した記録層情報に基づき記録層に記録された情報を再生することができる。
【００１７】
この場合において、前記第１の集光手段は、前記第１の光源からの第１のレーザ光を前記記録層のいずれかに集光する対物レンズを有し、当該再生装置は、前記層検出手段により検出した層情報に基づき、前記第１のレーザ光が前記層情報が示す記録層に照射されるように前記対物レンズの位置を制御する手段を更に具備する。
【００１８】
これにより、検出された層情報に基づき、対物レンズの位置を制御し、目標の記録層にレーザ光を照射することができる。
【００１９】
本発明に係る記録装置は、第１のレーザ光を発生する第１の光源と、複数の記録層と、同期パターン層とを有する記録媒体の同期パターン層に前記第１のレーザ光を集光する第１の集光手段と、前記同期パターン層で反射した前記第１のレーザ光に基づき同期パターンを再生する同期パターン再生手段と、クロックパターンを発生するクロックパターン発生手段と、第２のレーザ光を発生する第２の光源と、前記同期パターン再生手段により再生された同期パターンと前記クロックパターン発生手段により発生した前記クロックパターンとの位相差に基づき、記録層毎に位相方向に互いにずらして前記第２のレーザ光を集光することで特定パターンを形成する手段とを具備する。
【００２０】
本発明では、同期パターンとクロックパターンとの位相差に基づき、層毎に位相方向に互いにずらして特定パターンを形成することができる。従って、再生時に、特定パターンの位相と同期パターンの位相との位相差に基づき、層の情報である層情報を速やかに検出することができる。
【００２１】
本発明に係る記録方法は、第１のレーザ光を発生し、複数の記録層と、同期パターン層とを有する記録媒体の同期パターン層に前記第１のレーザ光を集光し、前記同期パターン層で反射した前記第１のレーザ光に基づき同期パターンを再生し、クロックパターンを発生し、第２のレーザ光を発生し、前記同期パターン再生手段により再生された同期パターンと前記クロックパターン発生手段により発生した前記クロックパターンとの位相差に基づき、記録層毎に位相方向に互いにずらして前記第２のレーザ光を集光することで特定パターンを形成する。
【００２２】
本発明では、同期パターンとクロックパターンとの位相差に基づき、記録媒体の異なる記録層に層毎に位相方向にずらして特定パターンを形成することができる。従って、再生時に、特定パターンと同期パターンとの位相差に基づき、特定パターンが記録された層の情報である記録層情報を短時間で取得することができる。
【００２３】
本発明に係る記録媒体は、同期パターンが設けられた同期パターン層と、層毎に特定パターンが前記同期パターンに対して前記特定パターンを読取る方向に互いにずらして設けられた複数の記録層とを具備する。
【００２４】
本発明では、記録媒体の記録層のいずれかにレーザ光を集光し同期パターン層にレーザ光を照射し、記録層の特定パターンで反射したレーザ光から特定パターンを再生し、同期パターン層の同期パターンで反射した反射光から同期パターンを再生することができる。この結果、再生された同期パターンと再生された特定パターンの位相差に基づき、レーザ光が照射された記録層の層情報を速やかに検出することができる。なお、「読取る方向」とは、同一層内で、記録層に形成されている他の記録マークや特定パターンなどが並んでいる方向であり、再生時に他の記録マークや特定パターンが読取られる円板形状を有する記録媒体の円周方向を含む。
【発明の効果】
【００２５】
以上のように、本発明によれば、記録層の層情報を速やかに検出することができる。
【発明を実施するための最良の形態】
【００２６】
以下、本発明の実施の形態を図面に基づき説明する。  
（第１の実施の形態）  
図１は本発明の一実施形態に係る再生装置１のブロック図である。
【００２７】
再生装置１は、図１に示すように、制御部２、駆動制御部３、信号処理部４、スピンドルモータ５、スレッドモータ６及び光ピックアップ７を備えている。
【００２８】
制御部２は、図１に示すように、光ディスク１０が装填された状態で、図示しない外部機器から再生命令及び再生アドレス情報を受け取り、駆動制御部３に対して駆動命令を供給すると共に、再生命令を信号処理部４に供給する。また、制御部２は、信号処理部４からの再生情報を受け取り図示しない外部機器へ送出する。
【００２９】
駆動制御部３は、駆動命令に従い、スピンドルモータ５を駆動制御することにより光ディスク１０を所定の回転速度で回転させる。駆動制御部３は、駆動命令に従い、スレッドモータ６を駆動制御する。これにより、光ピックアップ７を移動軸８に沿って再生アドレス情報に対応した位置に移動させる。
【００３０】
信号処理部４は、光ピックアップ７が光ディスク１０から読み取った信号に対して復調処理等を施すことにより再生信号を生成し、この再生信号を制御部２に供給する。
【００３１】
光ピックアップ７は、例えば光ディスク１０に対して一面側から焦点を合わせて光を照射するために、移動軸８に設けられている。
【００３２】
図２は再生装置１の光ピックアップ７の構成を示すブロック図である。  
図２に示すように、再生装置１の光ピックアップ７は、情報光学系１１と、サーボ光学系１２と、光ディスク１０の記録層の情報を検出するための層情報検出回路１３とを備えている。
【００３３】
情報光学系１１は、レーザダイオード１５、集光レンズ１６、偏光板１７、ビームスプリッタ１８、偏光板１９、リレーレンズ２０、ダイクロイックプリズム２１、対物レンズ２２、対物レンズアクチュエータ２３、集光レンズ２４及びフォトディテクタ２５を備えている。
【００３４】
レーザダイオード１５は、図２に示すように、例えば波長約４０５ｎｍの発散光である所定光量の青色レーザ光Ｌｂを集光レンズ１６に向けて照射する。
【００３５】
集光レンズ１６は、青色レーザ光Ｌｂを発散光から平行光に変換し、平行光を偏光板１７に入射させる。
【００３６】
偏光板１７は、集光レンズ１６から入射した青色レーザ光Ｌｂの特定の偏向成分をビームスプリッタ１８に入射させる。
【００３７】
ビームスプリッタ１８は、偏光板１７から入射した青色レーザ光Ｌｂを偏光板１９に入射させる。
【００３８】
偏光板１９は、ビームスプリッタ１８から入射した青色レーザ光Ｌｂをリレーレンズ２０に入射させる。
【００３９】
リレーレンズ２０は、偏光板１９からの青色レーザ光Ｌｂの光路を調整し、ダイクロイックプリズム２１に入射させる。リレーレンズ２０は、集光レンズ２０ａ、集光レンズアクチュエータ２０ｂ及びレンズ２０ｃを備えている。集光レンズアクチュエータ２０ｂにより集光レンズ２０ａの位置が調整される。これにより、青色レーザ光Ｌｂの光路が調整される。
【００４０】
ダイクロイックプリズム２１は、入射した青色レーザ光Ｌｂを対物レンズ２２に向けて反射する。
【００４１】
対物レンズ２２は、ダイクロイックプリズム２１で反射した青色レーザ光Ｌｂを集光し、光ディスク１０の後述する記録層に入射させる。
【００４２】
対物レンズアクチュエータ２３は、対物レンズ２２を例えばフォーカス方向に駆動させる。これにより、例えば後述する赤色レーザ光Ｌｒのフォーカスサーボ制御が行われる。
【００４３】
光ディスク１０の記録層の後述する記録マークで生成された戻り光は、対物レンズ２２、ダイクロイックプリズム２１、リレーレンズ２０等を通過しビームスプリッタ１８に入射する。
【００４４】
ビームスプリッタ１８は、この青色レーザ光Ｌｂを反射面において集光レンズ２４に向けて反射し、集光レンズ２４に入射させる。
【００４５】
集光レンズ２４は、入射した青色レーザ光Ｌｂを集光し、フォトディテクタ２５に照射する。
【００４６】
フォトディテクタ２５は、集光レンズ２４で集光された青色レーザ光Ｌｂを受光し電気信号に変換し、例えば層情報検出回路１３にこの電気信号（青信号）を出力する。
【００４７】
サーボ光学系１２は、レーザダイオード３１、コリメータレンズ３２、ビームスプリッタ３３、ダイクロイックプリズム２１、対物レンズ２２、対物レンズアクチュエータ２３、集光レンズ３４及びフォトディテクタ３５を備えている。なお、例えばダイクロイックプリズム２１、対物レンズ２２及び対物レンズアクチュエータ２３は、情報光学系１１及びサーボ光学系１２で共用されている。
【００４８】
レーザダイオード３１は、図２に示すように、波長約６６０ｎｍの発散光である所定光量の赤色レーザ光Ｌｒをコリメータレンズ３２に向けて照射する。
【００４９】
コリメータレンズ３２は、赤色レーザ光Ｌｒを発散光から平行光に変換し、ビームスプリッタ３３に入射させる。
【００５０】
ビームスプリッタ３３は、入射した赤色レーザ光Ｌｒをダイクロイックプリズム２１に入射させる。ダイクロイックプリズム２１に入射した赤色レーザ光Ｌｒは、ダイクロイックプリズム２１を通過し、対物レンズ２２に入射する。
【００５１】
そして、対物レンズ２２は、赤色レーザ光Ｌｒを集光し、光ディスク１０に向けて照射する。このとき、赤色レーザ光Ｌｒは、光ディスク１０の基準面Ｒに照射される。この基準面Ｒは、例えば、後述する同期パターン信号を生成するための同期パターンが形成されている同期パターン層などである。この後、基準面Ｒで反射された赤色レーザ光Ｌｒは、対物レンズ２２を通過した後、ダイクロイックプリズム２１を通過し、ビームスプリッタ３３の反射面で反射され、集光レンズ３４に入射する。
【００５２】
集光レンズ３４は、入射した赤色レーザ光Ｌｒに例えば非点収差を持たせた上でフォトディテクタ３５に集光する。
【００５３】
再生装置１では、例えば赤色レーザ光Ｌｒや青色レーザ光Ｌｂの焦点が光ディスク１０に対して接近又は離れる方向であるフォーカス方向にずれることがある。赤色レーザ光Ｌｒや青色レーザ光Ｌｂを目標のフォーカス位置に追従させるためには、焦点をフォーカス方向に移動させる必要がある。そこで、例えば対物レンズ２２は、対物レンズアクチュエータ２３によりフォーカス方向に駆動されるようになっている。また、集光レンズ２０ａは、集光レンズアクチュエータ２０ｂによりフォーカス方向に駆動されるようになっている。
【００５４】
フォトディテクタ３５は、入射した赤色レーザ光Ｌｒを電気信号に変換し、層情報検出回路１３に電気信号（赤信号）を出力する。
【００５５】
図３は、層情報検出回路１３の構成を示すブロック図、図４は層情報検出回路１３の位相同期回路で生成される電気信号の波形を示す図である。  
層情報検出回路１３は、イコライザ４１、位相同期回路（ＰＬＬ  Ｐｈａｓｅ  Ｒｏｃｋｅｄ  Ｌｏｏｐ）４２、エッジ検出回路４３、イコライザ４４、クロック再生回路４５、特定パターン検出回路４６及びカウンタ回路４７を備えている。
【００５６】
イコライザ４１はフォトディテクタ３５からの電気信号の波形等化を行い、位相同期回路４２に出力する。
【００５７】
位相同期回路４２は、イコライザ４１から入力された信号に基づき、図４（Ａ）に示す同期信号（同期パターン信号）をエッジ検出回路４３に出力し、図４（Ｃ）に示すようなクロック信号をクロック再生回路４５に出力する。図４（Ａ）に示す同期信号は、位相同期回路４２に入力された信号に同期した信号である。図４（Ｃ）に示すクロック信号は、図４（Ａ）の信号の周波数が逓倍された信号である。
【００５８】
この位相同期回路４２は、例えば位相検出器４８、ループフィルタ４９、電圧制御発振器（ＶＣＯ  Ｖｏｌｔａｇｅ  Ｃｏｎｔｒｏｌｅｄ  Ｏｓｃｌａｔｏｒ）５５、Ｎ分周器５６を備えている。
【００５９】
位相検出器４８は、イコライザ４１から入力された信号と、電圧制御発振器５５から出力されＮ分周器５６で分周された信号との位相差を比較し、位相差に応じた位相差信号をループフィルタ４９に出力する。ループフィルタ４９は、位相差信号の高周波成分を除去し位相差信号に応じた制御電圧を電圧制御発振器５５に出力する。電圧制御発振器５５は、入力された制御電圧に応じて図４（Ｃ）に示すクロック信号を、クロック再生回路４５と、Ｎ分周器５６とに発振する。Ｎ分周器５６は、電圧制御発振器５５から発振された図４（Ｃ）のクロック信号の周波数を分周し、図４（Ａ）に示す同期信号を、位相検出回路４８と、エッジ検出回路４３とに出力する。これにより、赤色レーザ光Ｌｒに基づき、図４（Ａ）に示す同期信号と、図４（Ｃ）に示すクロック信号とを生成している。
【００６０】
エッジ検出回路４３は、Ｎ分周器５６からの出力された図４（Ａ）に示す同期信号に基づき、この同期信号の立ち上がりを検出し、立ち上がりを検出したときに後述するリセット信号を後述するカウンタ回路４７に出力する。
【００６１】
イコライザ４４は、フォトディテクタ２５からの電気信号の波形等化を行いクロック再生回路４５に出力する。
【００６２】
クロック再生回路４５は、電圧制御発振器５５から出力された図４（Ｃ）に示すクロック信号を用いて、イコライザ４４からの出力信号から青色レーザ光Ｌｂのパターン信号（データ信号）を再生し、このデータ信号を特定パターン検出回路４６に出力する。
【００６３】
特定パターン検出回路４６は、図４（Ｂ）に示すパターン信号（データ信号）に基づき、このパターン信号が特定パターン信号であるか否かを判断する。特定パターン検出回路４６は、例えば、図４（Ｂ）に示す９Ｔのパターン信号（データ信号）の立ち下がりエッジを検出したときに、入力されたパターン信号が特定パターン信号であると判断する。特定パターン検出回路４６は、入力されたパターン信号が特定パターン信号であるときに、カウンタ回路４７にカウントをスタートさせるためのスタート信号を出力する。これにより、カウンタ回路４７のカウント値が増加する。Ｔは、例えば青色レーザ光Ｌｂのスポット光を光ディスク１０に照射したときにできるマークの長さである。
【００６４】
この特定パターン信号は、例えば図４（Ｂ）に示すような９Ｔ−９Ｔの波形である。この特定パターン信号は、後述する図５に示す光ディスク１０の記録層５１に形成された９Ｔ（９Ｔ−９Ｔ）マークＶ１に青色レーザ光Ｌｂを照射したときに反射された反射光をフォトディテクタ２５で電気信号に変換しクロック再生回路４５に入力させて得られる。特定パターンである９Ｔ−９ＴマークＶ１は、９個のスポット光を連続して光ディスクの記録層に照射し、９個のスポット光を連続して照射しないことで形成されている。
【００６５】
カウンタ回路４７は、特定パターン検出回路４６からのスタート信号に基づき、図４（Ｃ）に示すクロック信号のパルスのカウントを開始する。カウンタ回路４７は、エッジ検出回路４３からのリセット信号に基づき、図４（Ｃ）に示すクロック信号のパルスのカウントを終了し、このときのカウント値を層情報として層情報検出回路１３外へ出力する。
【００６６】
以上のように、層情報検出回路１３は、図４（Ｂ）に示す特定パターン信号の立ち下がりの位相（エッジ）と、図４（Ａ）に示す同期信号の立ち上がりの位相（エッジ）との位相差（例えばΔθ）に基づき、９Ｔ−９ＴマークＶ１等の特定パターンが記録された層の情報であるカウント値（層情報）を検出し、層情報を外部へ出力する。
【００６７】
図５は、記録マーク（例えばボイド）が形成された光ディスク１０の部分断面図である。  
光ディスク１０は、例えば中央部に図示しない孔部が形成された直径約１２０ｍｍの円盤形状を有している。
【００６８】
光ディスク１０は、図５に示すように、基板５０、情報を記録するための記録層５１、５２、５３、、、及び保護膜５４が積層されて構成されている。基板５０と記録層５１との間には基準面Ｒが設けられている。
【００６９】
基準面Ｒは、例えば誘電体多層膜などであり、波長４０５ｎｍの青色レーザ光Ｌｂを透過すると共に波長６６０ｎｍの赤色レーザ光Ｌｒを所定の割合で反射する。基準面Ｒは、例えばスパッタリング等により基板５０に形成されており、赤色レーザ光Ｌｒが照射される溝Ｔ１等が形成されている。溝Ｔ１等は、例えば青色レーザ光Ｌｂの連続した４スポット光に対応する長さを有している。つまり、溝Ｔ１は、４Ｔマークである。溝Ｔ１と溝Ｔ２との間の溝でない部分も４スポット光に対応する長さを有している。これにより、後述するように０〜７の８個の値を設定することができる。
【００７０】
基板５０は、例えばポリカーボネートやガラス等の材料により構成されている。一面側から他面側に入射する光を高い透過率で透過させる。また、記録層５１、５２、５３、、、を保護するために必要な強度を有している。
【００７１】
記録層５１、５２、５３、、、は、その厚さ方向（Ｚ方向）に複数設けられている。記録層５１、５２、５３、、、の構成材料には、例えばフォトポリマなどが用いられている。各記録層５１、５２、５３、、、の記録マーク（例えばボイドＶ）の有無により、２値データのいずれか、すなわち「０」か「１」かを表している。なお、図５の記録層５１、５２、５３、、、において、点線の楕円は例えばボイドがない状態、実線の楕円は例えばボイドＶが形成された状態を示している。
【００７２】
また、各記録層５１、５２、５３、、、には、各層毎に所定の頻度で層情報を示す９Ｔ−９ＴマークＶ１、Ｖ２及びＶ３、、、が形成されている。
【００７３】
例えば１層目の記録層５１では、基準面Ｒの溝Ｔ１（の立ち上がりＵ１）と、特定パターンである９Ｔ−９ＴマークＶ１の境界Ｋ１とが平面的に重なっている（データの読取り方向つまり位相方向（Ｙ方向）で一致している）。つまり、Δθが０となる。
【００７４】
２層目の記録層５２では、基準面Ｒの溝Ｔ２（の立ち上がりＵ２）と、特定パターンである９Ｔ−９ＴマークＶ２の境界Ｋ２とが平面的に長さｗだけ位相方向（Ｙ方向）にずれている。つまり、Δθが１クロック分となる。
【００７５】
３層目の記録層５３では、基準面Ｒの溝Ｔ３（の立ち上がりＵ３）と、特定パターンである９Ｔ−９ＴマークＶ３の境界Ｋ３とが平面的に長さ２ｗだけ位相方向（Ｙ方向）にずれている。つまり、Δθが２クロック分となる。
【００７６】
図示を省略した８層目の記録層では、基準面Ｒの図示を省略した溝Ｔ８（の立ち上がりＵ８）と、特定パターンである図示を省略した９Ｔ−９ＴマークＶ８の境界Ｋ８とが平面的に長さ７ｗだけ位相方向（Ｙ方向）にずれている。つまり、Δθが７クロック分となる。このように８個のΔθが設定されている。
【００７７】
保護膜５４は、例えば記録層の外側に配置され、記録層を保護している。
【００７８】
次に、再生装置１を用いた光ディスク１０の再生動作について説明する。  
図６は、再生装置１の再生動作を示すフローチャートである。  
再生装置１の図示しない制御部は、図６に示すように、レーザダイオード３１に赤色レーザ光Ｌｒを射出させ、レーザダイオード１５に青色レーザ光Ｌｂを射出させる（ＳＴ６０１）。
【００７９】
これにより、図２に示すように、レーザダイオード３１から射出した赤色レーザ光Ｌｒは、コリメータレンズ３２により平行光に変換され、ビームスプリッタ３３、ダイクロイックプリズム２１を通過し、対物レンズ２２で集光されて、例えば図５に示す基準面Ｒの溝Ｔ１の立ち上がりＵ１に照射される。立ち上がりＵ１で反射した赤色レーザ光Ｌｒは、対物レンズ２２、ダイクロイックプリズム２１を通過し、ビームスプリッタ３３で反射し、集光レンズ３４で集光され、フォトディテクタ３５に入射する。フォトディテクタ３５に入射した赤色レーザ光Ｌｒは、フォトディテクタ３５により、電気信号に変換され、層情報検出回路１３に出力される。
【００８０】
一方、レーザダイオード１５から射出された青色レーザ光Ｌｂは、集光レンズ１６により平行光に変換され、青色レーザ光Ｌｂのうち特定の偏光成分が偏光板１７を通過し、ビームスプリッタ１８に入射する。ビームスプリッタ１８に入射した青色レーザ光Ｌｂは、ビームスプリッタ１８、リレーレンズ２０等を通過し、ダイクロイックプリズム２１で反射し、対物レンズ２２で集光されて、例えば図５に示す記録層５１の９Ｔ−９ＴマークＶ１に照射される。９Ｔ−９ＴマークＶ１で反射した青色レーザ光Ｌｂは、対物レンズ２２を通過しダイクロイックプリズム２１で反射し、リレーレンズ２０等を通過し、偏光板１９で偏光され、ビームスプリッタ１８で集光レンズ２４に向けて反射する。集光レンズ２４に入射した青色レーザ光Ｌｂは、集光レンズ２４で集光され、フォトディテクタ２５に入射する。フォトディテクタ２５に入射した青色レーザ光Ｌｂは、電気信号に変換され、層情報検出回路１３に出力される。
【００８１】
図３に示すように、イコライザ４１は、フォトディテクタ３５からの電気信号の波形等化を行い、位相同期回路４２に出力する。位相同期回路４２は、イコライザ４１から入力された信号に基づき、図４（Ａ）に示す同期信号を再生し（ＳＴ６０２）、エッジ検出回路４３に出力すると共に、図４（Ｃ）に示すクロック信号を再生し（ＳＴ６０２）、クロック再生回路４５に出力する。
【００８２】
イコライザ４４は、フォトディテクタ２５からの電気信号の波形等化を行いクロック再生回路４５に出力する。クロック再生回路４５は、図４（Ｃ）に示すクロック信号を用いて、イコライザ４４からの出力信号から青色レーザ光Ｌｂのパターン信号（データ信号）を再生し、このデータ信号を特定パターン検出回路４６に出力する。
【００８３】
特定パターン検出回路４６は、図４（Ｂ）に示すパターン信号（データ信号）に基づき、検出されたパターン信号が９Ｔ−９ＴマークＶ１（特定パターン）であるか否かを判断する（ＳＴ６０３）。例えば特定パターン検出回路４６は、９Ｔ−９ＴマークＶ１の立ち下がりのエッジを検出したか否かに基づき、パターン信号が特定パターンであるか否かを判断する。
【００８４】
特定パターン検出回路４６は、特定パターン信号を検出したときに（ＳＴ６０３でＹＥＳ）、カウンタ回路４７に図４（Ｃ）のクロックのカウントをスタートさせるためのスタート信号を出力する。これにより、カウンタ回路４７のカウント値が増加する（ＳＴ６０４）。特定パターン検出回路４６は、特定パターン信号を検出しないときには（ＳＴ６０３でＮＯ）、パターン（特定パターン）の検出を繰り返す（ＳＴ６０３）。
【００８５】
エッジ検出回路４３は、例えば図４（Ａ）に示す同期信号に基づき、溝Ｔ１等の立ち上がりの位相を検出したか否かを判断する（ＳＴ６０５）。エッジ検出回路４３が図４（Ａ）に示す同期信号の立ち上がりを検出しないときには（ステップ６０５でＮＯ）、カウント値を増加させる。エッジ検出回路４３が図４（Ａ）に示す同期信号の立ち上がりを検出したときには（ステップ６０５でＹＥＳ）、そのときのカウント値を位相差として出力する（ＳＴ６０６）。その後、エッジ検出回路４３は、カウント値をリセットする（ＳＴ６０７）。
【００８６】
以上のように、層情報検出回路１３は、特定パターン検出回路４６で検出された特定パターン信号の立ち下がりの位相（エッジ）と、エッジ検出回路４３で検出された同期信号の立ち上がりの位相（エッジ）との位相差（図４（Ｃ）に示すクロックのカウント値）に基づき、層情報を検出する。
【００８７】
図４は、位相差Δθ、つまり、図４（Ｃ）のクロック数が５であることから、図示しない５層目の記録マークを再生していることが検出される。
【００８８】
そして、例えば検出した層情報を用いて、例えば所望の記録層に青色レーザ光Ｌｂが照射されるようにリレーレンズ２０の位置を制御する（ＳＴ６０８）。
【００８９】
このように本実施形態によれば、光ディスク１０の各記録層５１、５２、５３等に、それぞれ９Ｔ−９ＴマークＶ１、Ｖ２、Ｖ３等が基準面Ｒの溝Ｔ１に対して位相方向であるＹ方向に異なる長さずれた位置に形成されている。再生時にフォーカス方向に青色レーザ光Ｌｂの照射位置がずれても、光ディスク１０の記録層５１、５２、５３等のいずれかに青色レーザ光Ｌｂを照射し基準面Ｒに赤色レーザ光Ｌｒを照射することができる。層情報検出回路１３は、記録層５１、５２、５３等の９Ｔ−９ＴマークＶ１等の特定パターンで反射したレーザ光から図４（Ｂ）に示す特定パターン信号を再生し、基準面Ｒの同期パターンで反射したレーザ光から図４（Ａ）に示す同期信号を再生することができる。層情報検出回路１３は、特定パターン検出回路４６により特定パターン信号の位相（エッジ）を検出し、カウンタ回路４７に図４（Ｃ）に示すクロックのカウントを開始させることができる。層情報検出回路１３は、エッジ検出回路４３により同期信号の位相（エッジ）を検出し、カウンタ回路４７にカウントをリセットするリセット信号を出力するこができる。カウンタ回路４７は、特定パターンのパルスのエッジが検出されてから同期パターンのエッジが検出されるまで、層毎に異なるカウント値をカウントすることができる。従って、再生時に青色レーザ光Ｌｂの照射位置がずれても、層情報検出回路１３により特定パターン信号の位相と同期信号の位相との位相差（カウンタ回路４７のカウント値）に基づき、９Ｔ−９ＴマークＶ１等の特定パターンが記録された層の情報である記録層情報を速やかに検出することができる。
【００９０】
このとき、層情報を検出するために、記録層５１、５２、５３、、、中の記録マーク（ボイド）Ｖを用いることなく、９Ｔ−９ＴマークＶ１のような特定パターンのみを用いることで、層情報を検出することができる。従って、記録マーク（ボイド）Ｖの検出に影響されることなく、層情報を確実に検出することができる。
【００９１】
例えば、図４（Ａ）に示す同期信号の立ち上がりの位相と、図４（Ｂ）に示す特定パターン信号の立ち下がりの位相との位相差Δθ（カウンタ回路４７のカウント値）が０ときは、特定パターン（再生中のパターン）が１層目のものであることを検出することができる。同様に、位相差Δθ（カウンタ回路４７のカウント値）が図４（Ｃ）に示す１クロックときは２層目、位相差Δθが図４（Ｃ）に示す２クロックときは３層目、、、位相差Δθが図４（Ｃ）に示す７クロックときは、８層目のパターンを、再生装置１が検出していると速やかに判断することができる。
【００９２】
また、検出した層情報に基づいて、例えば所望の記録層に青色レーザ光Ｌｂが照射されるようにリレーレンズ２０の位置を速やかに制御することができる。
【００９３】
（第２の実施の形態）  
次に、第２の実施の形態の記録装置について説明する。なお、本実施形態以降においては、上記第１の実施の形態と同一の構成部材等には同一の符号を付しその説明を省略し異なる箇所を中心的に説明する。
【００９４】
図７は、本発明に係る第２の実施形態の記録装置の構成を示すブロック図である。  
図７に示すように、本実施形態の記録装置６０は、図１に示す再生装置１に比べて、記録信号発生回路６１、ＰＬＬ６２及び変調器６３を更に備えている点が異なる。
【００９５】
記録信号発生回路６１は、フォトディテクタ２５、３５、ＰＬＬ６２の出力端子に接続されていると共に、変調器６３に接続されている。記録信号発生回路６１は、フォトディテクタ２５、３５からの出力信号が入力されると共に、ＰＬＬ６２からの出力信号が入力される。記録信号発生回路６１は、フォトディテクタ３５からの電気信号が入力され、同期信号の立ち上がり（下がり）を検出したときに、クロック数のカウントを開始する。記録信号発生回路６１は、記録層毎に定められたカウント値をカウントしたときに、変調器６３を制御する変調信号を変調器６３に出力する。例えば変調信号が出力されているときは、光ディスク１０に青色レーザ光Ｌｂが照射される。
【００９６】
この記録層毎に定められたカウント値は、例えば、
第１層目の記録層５１に特定パターンを形成するときは０
第２層目の記録層５２に特定パターンを形成するときは１
第３層目の記録層５３に特定パターンを形成するときは２
・・・
図示しない第８層目の記録層に特定パターンを形成するときは７
に設定されている（図５参照）。
【００９７】
変調器６３は、記録信号発生回路６１からの変調信号に基づき、例えば９スポット分連続して記録層５１にスポット光を照射する。変調器６３は、例えば電気光学変調器や音響光学変調器が用いられる。例えば電気光学変調器は、記録信号発生回路６１からの変調信号に基づき、非線形光学結晶（例えばリン酸二水素カリウムＫＤＰ結晶）に電圧を印加することができるように構成されている。これにより、例えばレーザダイオード１５から射出された青色レーザ光Ｌｂの偏光状態を制御し、非線形光学結晶を透過する光の強度を制御する。
【００９８】
このような構成によれば、赤色レーザ光Ｌｒを光ディスクの基準面Ｒに照射し、基準面Ｒで反射した赤色レーザ光Ｌｒに基づき同期信号を再生し、ＰＬＬ６２で基準となる基準信号を発振し、記録信号発生回路６１が同期信号と基準信号の位相差（カウント値）が記録層毎に定められた所定カウント数に達したと判断したときに変調器６３に変調信号を出力し、基準面Ｒの溝Ｔ１等から記録層毎に異なる位置に例えば９Ｔマークのような特定パターンを形成することができる。
【００９９】
（第３の実施の形態）  
次に、第３の実施の形態の光ディスクについて説明する。  
図８は、第３の実施形態の光ディスク７０の断面図である。  
本実施形態の光ディスク７０は、第１の実施の形態に比べて、図８に示すように、記録層が９層以上あり、９層目以上の層にも層情報を再生するための特定パターンが形成されている点が異なる。
【０１００】
本実施形態の光ディスク７０は、図８に示すように１層目の記録層５１から図示しない８層目の記録層については上記実施形態と同様であるが、例えば、９層目の記録層７１では、基準面Ｒの溝Ｔ１の立ち上がりＵ１と、特定パターンである９Ｔ−９ＴマークＶ９の境界Ｋ１とが平面的に重なっている（読み取り方向である位相方向（Ｙ方向）で一致している）。また、１０層目の記録層７２では、基準面Ｒの溝Ｔ２の立ち上がりＵ２と、特定パターンである９Ｔ−９ＴマークＶ１０の境界Ｋ２とが平面的に長さｗだけ位相方向（Ｙ方向）にずれている。更に、１１層目の記録層７３では、基準面Ｒの溝Ｔ３の立ち上がりＵ３と、特定パターンである９Ｔ−９ＴマークＶ１１の境界Ｋ３とが平面的に長さ２ｗだけ位相方向（Ｙ方向）にずれている。
【０１０１】
このような構成によれば、光ディスク７０に記録層が９層以上ある場合でも、基準面Ｒの溝Ｔ１の立ち上がりＵ１に対して、平面的に重なる位置に、１層目の層情報を示す９Ｔ−９ＴマークＶ１の境界Ｋ１、９層目の層情報を示す９Ｔ−９ＴマークＶ９を形成し、再生装置１により層情報を検出することができるようにすることができる。２層目と、１０層目などについても同様である。
【０１０２】
このような光ディスク７０を再生装置１を用いて再生する場合には、層情報検出回路１３により、位相差Δθ（図４（Ｃ）に示すクロック数）を検出することで、位相差Δθ（クロック数）が変化したときに、青色レーザ光Ｌｂの照射位置が、２層目や３層目にジャンプしたかどうかを判断することができる。このとき、１層目の記録層５１と、９層目の記録層５１との間隔は、１層目と２層目とのＺ方向の間隔に比べて大きい。従って、例えば１層目を再生中にフォーカス方向（Ｚ方向）に光ディスク７０の位置がぶれても１０層目にずれていることはほぼないので、このような構成の光ディスク７０を用いて９層以上の記録層を備えた光ディスク７０を再生装置１により再生することができる。また、青色レーザ光Ｌｂの照射位置が、フォーカス方向（Ｚ方向）にジャンプした場合には、例えば図示しない制御部により、図１に示すリレーレンズ２０を制御し、青色レーザ光Ｌｂが照射される位置を適宜制御することができる。
【０１０３】
本発明は以上説明した実施の形態には限定されるものではなく、種々の変形が可能である。
【０１０４】
例えば、上記実施形態では、光ディスク１０は、図５に示すように、例えば１層目の記録層５１では、溝Ｔ１の立ち上がりＵ１と、９Ｔ−９ＴマークＶ１の境界Ｋ１とが平面的に重なり（データの読取り方向である位相方向（Ｙ方向）で一致している）、２層目の記録層５２では、溝Ｔ２の立ち上がりＵ２と、９Ｔ−９ＴマークＶ２の境界Ｋ２とが平面的に長さｗだけ位相方向（Ｙ方向）にずれている例を示した。しかし、これに限定されず、例えば図４（Ａ）に示す同期信号の立ち上がりの位相と、図４（Ｂ）に示す特定パターン信号の立ち下りの位相との間のずれである位相差Δθを、より高精度に検出することができるようにして、９層以上記録層がある場合に適応するようにしてもよい。
【０１０５】
図９は位相差Δθをより高精度に検出する場合のＰＬＬ４２で再生された電気信号の波形を示す図である。
【０１０６】
例えば図１に示すＰＬＬ４２のＮ分周器５６の分周数を変更することによって、図９（Ａ）の同期信号の例えば８倍の周波数のクロック信号（図９（Ｃ））を得るようにすればよい。これにより、例えば図９（Ａ）に示す同期信号の立ち上がりの位相と、特定パターンによる特定パターン信号の位相との位相差Δθを、より高精度に検出することができ、９層以上の記録層を備えた光ディスクの記録、再生に適応することができる。つまり、１層目〜１２層目を図９（Ｃ）に示すクロック数の違いに基づき、確実に層情報を検出することができる。
【０１０７】
上記実施形態等では、位相差Δθを検出するために、例えば図４（Ａ）に示す同期信号の立ち上がりの位相と、９Ｔ−９ＴマークＶ１等からの図４（Ｂ）に示す特定パターン信号の立ち下がりの位相との位相差Δθに基づき、層情報を検出する例を示した。しかし、例えば図４（Ａ）に示す同期信号の立ち下がりや図４（Ｂ）に示す特定パターン信号の立ち下がりを位相差Δθの検出に用いるようにしてもよい。
【０１０８】
上記実施形態等では、基準面Ｒに４Ｔマークが形成されている例を示した。しかし、これに限定されず、例えば３Ｔマークや５Ｔマークでもよい。例えば５Ｔマークを形成することで、上述した例と同様に位相差Δθが０〜９クロック分異なる１０個の値を設定することができる。
【０１０９】
上記実施形態等では、特定マークとして９Ｔ−９Ｔマークを例示した。しかし、特定パターンはこれに限定されず、例えば７Ｔ−７Ｔマーク等他の長さのマークでもよい。
【０１１０】
上記実施形態等では、図５に示すように、溝Ｔ１の立ち上がりＵ１に対してずれない位置に９Ｔ−９ＴマークＶ１が形成され、溝Ｔ２の立ち上がりＵ２に対してずれて９Ｔ−９ＴマークＶ２が形成され、溝Ｔ３の立ち上がりＵ３に対してずれて９Ｔ−９ＴマークＶ３が形成されている例を示した。しかし、例えば９Ｔ−９ＴマークＶ１、Ｖ２及びＶ３が、同じ溝Ｔ１の立ち上がりＵ１に対して、それぞれ異なる位相差Δθ（０、１、２クロック）で形成するようにしてもよい。
【図面の簡単な説明】
【０１１１】
【図１】本発明の一実施形態に係る再生装置のブロック図である。
【図２】再生装置の光ピックアップ７の構成を示すブロック図である。
【図３】層情報検出回路の構成を示すブロック図である。
【図４】層情報検出回路の位相同期回路で生成される電気信号の波形を示す図である。
【図５】記録マーク（例えばボイド）が形成された光ディスクの部分断面図である。
【図６】再生装置の再生動作を示すフローチャートである。
【図７】本発明に係る第２の実施形態の記録装置の構成を示すブロック図である。
【図８】第３の実施形態の光ディスクの断面図である。
【図９】位相差をより高精度に検出する場合のＰＬＬで生成された電気信号の波形を示す図である。
【符号の説明】
【０１１２】
Ｌｒ  赤色レーザ光
Ｌｂ  青色レーザ光
Ｒ  基準面
Ｖ  ボイド
Ｔ１、Ｔ２、Ｔ３  溝
Ｖ１、Ｖ２、Ｖ３、Ｖ９、Ｖ１０、Ｖ１１  ９Ｔ−９Ｔマーク
Δθ  位相差
１  再生装置
１０、７０  光ディスク
１３  層情報検出回路
１５、３１  レーザダイオード
２０  リレーレンズ
２２  対物レンズ
２５、３５  フォトディテクタ
４２  ＰＬＬ（位相同期回路）
４３  エッジ検出回路
４６  特定パターン検出回路
４７  カウンタ回路
５１、５２、５３、７１、７２、７３  記録層
６０  記録装置
６１  記録信号発生回路
６３  変調器
【図１】
2009289339.tif 000003
【図２】
2009289339.tif 000004
【図３】
2009289339.tif 000005
【図４】
2009289339.tif 000006
【図５】
2009289339.tif 000007
【図６】
2009289339.tif 000008
【図７】
2009289339.tif 000009
【図８】
2009289339.tif 000010
【図９】
2009289339.tif 000011